(57)【要約】【課題】オペレータの入力ミスによる用紙ジャム防止することができる紙折り装置及び画像形成システムを提供する。【解決手段】挿入用紙を所定の形式に折る紙折り装置であって、挿入用紙の搬送方向に対して垂直に複数個配置され、挿入用紙の幅方向の長さ及び搬送方向の長さを検知する検知手段と、挿入用紙の折り種類及び挿入用紙の用紙サイズが入力される操作部とを備え、操作部に設定された用紙サイズと、検知手段による検知結果とが異なり、検出結果が定型サイズの場合、定型折りを行う。【選択図】図１
2007302384.tif 000002
【特許請求の範囲】
【請求項１】
挿入用紙を所定の形式に折る紙折り装置であって、
前記挿入用紙の搬送方向に対して垂直に複数個配置され、前記挿入用紙の幅方向の長さ及び前記搬送方向の長さを検知する検知手段と、
前記挿入用紙の折り種類及び前記挿入用紙の用紙サイズが入力される操作部とを備え、
前記操作部に設定された用紙サイズと、前記検知手段による検知結果とが異なり、該検出結果が定型サイズの場合、定型折りを行うことを特徴とする紙折り機能を有する紙折り装置。
【請求項２】
前記挿入用紙が定型サイズであり、前記搬送方向の長さの許容値を任意に設定できることを特徴とする請求項１記載の紙折り装置。
【請求項３】
前記検知手段による検知結果が定型サイズ以外の用紙サイズである場合、ジャバラ折りのみを行い、該ジャバラ折りを行う部分よりも下流側にて前記用紙を排出することを特徴とする請求項１又は２記載の紙折り装置。
【請求項４】
前記ジャバラ折りの折り幅は、予め任意の１つを設定できることを特徴とする請求項３記載の紙折り装置。
【請求項５】
過去に使用されたジャバラ折り幅データを記憶し、該記憶されたジャバラ折り幅データの中で最も頻度の高いジャバラ折り幅を自動認識することを特徴とする請求項３又は４記載の紙折り装置。
【請求項６】
任意にジャバラ折り幅モードを設定できることを特徴とする請求項４又は５記載の紙折り装置。
【請求項７】
前記挿入用紙に応じて紙折りされた紙折り種類又はジャバラ折り幅結果を、前記操作部に表示することを特徴とする請求項１から６のいずれか１項に記載の紙折り装置。
【請求項８】
請求項１から７のいずれか１項に記載の紙折り装置を備えたことを特徴とする画像形成システム。
【発明の詳細な説明】
【技術分野】
【０００１】
本発明は、画像形成装置等の周辺機である紙折り装置に関し、特に、装置単独での紙折りが可能であり、装置の用紙入力ミスによる処理方法を実行する紙折り装置及び画像形成システムに関する。
【背景技術】
【０００２】
従来、複写機やファクシミリ等の画像形成装置に使用される用紙の搬送方向の下流に配置され、用紙を所定の方式で折る自動紙折り装置が提案されている。
このような紙折り装置の従来技術例として、複写機から排出される複写済みの用紙を所定の方式で折る紙折り機において、折りデータを入力することにより、基準折りに対して種々の異なる折りを実現でき、また、用紙の種類の違い等に応じて自動的に折り方を修正し、標準仕上げサイズに折りあげることができる「紙折り装置」がある（例えば、特許文献１参照）。
【特許文献１】特願平４−４４０２８号公報
【発明の開示】
【発明が解決しようとする課題】
【０００３】
しかし、特許文献１記載の発明のように従来の紙折り装置は、用紙の種類の違い等に応じて自動的に折り方を修正し、標準仕上げサイズに折りあげる場合、指定された用紙幅が搬送される用紙幅と異なる時、用紙を正確に折ることが出来ず、また、用紙ジャムが発生する可能性もある。
【０００４】
本発明は、上記事情に鑑みてなされたものであり、オペレータの入力ミスによる用紙ジャム防止することができる紙折り装置及び画像形成システムを提供することを目的とする。
【課題を解決するための手段】
【０００５】
かかる目的を達成するために、請求項１記載の発明は、挿入用紙を所定の形式に折る紙折り装置であって、挿入用紙の搬送方向に対して垂直に複数個配置され、挿入用紙の幅方向の長さ及び搬送方向の長さを検知する検知手段と、挿入用紙の折り種類及び挿入用紙の用紙サイズが入力される操作部とを備え、操作部に設定された用紙サイズと、検知手段による検知結果とが異なり、検出結果が定型サイズの場合、定型折りを行うことを特徴とする紙折り機能を有する。
【０００６】
請求項２記載の発明は、請求項１記載の発明において、挿入用紙が定型サイズであり、搬送方向の長さの許容値を任意に設定できることを特徴とする。
【０００７】
請求項３記載の発明は、請求項１又は２記載の発明において、検知手段による検知結果が定型サイズ以外の用紙サイズである場合、ジャバラ折りのみを行い、ジャバラ折りを行う部分よりも下流側にて用紙を排出することを特徴とする。
【０００８】
請求項４記載の発明は、請求項３記載の発明において、ジャバラ折りの折り幅は、予め任意の１つを設定できることを特徴とする。
【０００９】
請求項５記載の発明は、請求項３又は４記載の発明において、過去に使用されたジャバラ折り幅データを記憶し、記憶されたジャバラ折り幅データの中で最も頻度の高いジャバラ折り幅を自動認識することを特徴とする。
【００１０】
請求項６記載の発明は、請求項４又は５記載の発明において、任意にジャバラ折り幅モードを設定できることを特徴とする。
【００１１】
請求項７記載の発明は、挿入用紙に応じて紙折りされた紙折り種類又はジャバラ折り幅結果を、操作部に表示することを特徴とする。
【００１２】
請求項１から７のいずれか１項に記載の紙折り装置を備えたことを特徴とする画像形成システム。
【発明の効果】
【００１３】
本発明によれば、オペレータの入力ミスによる用紙ジャム防止することができる紙折り装置及び画像形成システムを実現することが可能となる。
【発明を実施するための最良の形態】
【００１４】
以下、本発明を実施するための最良の形態について添付図面を参照して詳細に説明する。
【００１５】
最初に、図１を参照して本実施形態の全体の概略構成を説明する。図１は本実施形態における画像形成システムの全体構成を概略的に示す説明図である。図２は、紙折り装置の背面図、図３は手差し部を図２の上方向から見た上面図である。
【００１６】
図１に示すように、画像形成装置２００には紙折り装置１が接続されており、画像形成装置２００は所望の画像を複写し、画像が複写されたコピー用紙Ｐを紙折り装置１に搬送すると共に、コピー用紙の送出と同時に紙折り装置１にシリアルケーブルを介してコピー用紙サイズ、及び紙折り方式、各種紙折りモード条件などを送出する。画像形成装置２００からのこれらの情報に従って、紙折り装置１は自動的に搬入されたコピー用紙Ｐの折り込みを行い得るように構成されている。
【００１７】
画像形成装置２００には、幅の広いロール紙が収容されており、原稿のサイズ情報及び用紙のサイズカット情報によって、ロール紙を切断し、感光ドラムなどの画像転写部を通すことによって画像の転写を行い、定着装置２１０により転写された画像を定着して、大サイズのコピーを作成するようになっている。ロール紙はトレーシングペーパーやフィルムシートや任意の種類の用紙をロール状にした物が使用され、複数本のロール紙が装着可能になっている。図示していないが、ロール紙からの用紙引き出し部と画像転写部との間に用紙カット手段などを設けて、原稿のサイズ検知などによって得られた用紙サイズに従ってロール紙からの用紙の切断と複写の動作とを自動的に行うように構成されている。
【００１８】
紙折り装置１は、画像形成装置２００で画像が転写された用紙を搬入する（オンライン）第１の用紙搬入口としての連結部２、用紙先端の端面を折る端面折り部３、用紙を搬送方向にジャバラ状に折るジャバラ折り部４、ジャバラ状に折られた用紙の搬送方向を切り換える搬送切換部５、搬送方向を切り換えた用紙を折るクロス折り部６、クロス折り部６でＡ４の大きさに折られた用紙を表裏反転させる反転部７、さらに用紙を回転する回転部８、トレイ９から成っている。
【００１９】
また、紙折り装置１は、第２の用紙搬入口としての手差し台１２を構成する手差し部１１を有し、用紙を写機装置本体２００に通さず（オフライン）挿入出来る構成となっている。さらに、画像形成装置２００で画像が転写された用紙を搬入し折るオンライン操作は画像形成装置２００に構成された操作部２２０により行われる。
【００２０】
また、紙折り装置１の手差し部１１により用紙を画像処理装置２００に通さず用紙を折るオフライン操作は、紙折り装置１に構成された操作部２０により行われる。
【００２１】
なお、画像形成装置２００は例えば電子写真方式のものが採用される。また、電子写真方式の画像形成装置に代えて、インクジェット、熱転写その他公知の画像形成装置を採用することもできる。
【００２２】
図４は、本実施形態としての画像形成システムの構成例を示すブロック図である。
画像形成システムは、公知の電子写真方式で任意の用紙上に画像を形成する画像形成装置２００と、画像形成装置２００から排出される用紙に対して任意選択可能に折り処理を行う紙折り装置（後処理装置）１と、を備えて構成される。
【００２３】
画像形成装置２００は、制御システム２３０、操作部制御手段１２１、読取制御手段１２２、書込制御手段１２３、給紙制御手段１２５、作像制御手段１２６、定着制御手段１２４、を有して構成される。
【００２４】
また、紙折り装置１は、操作部制御手段１２０、ジャバラ折り制御手段４０、クロス折り制御手段６０、搬送切替制御手段５０、耳折り制御手段３０、パンチ制御手段１００、反転回転制御手段８０、用紙サイズ制御手段１４０、を備えて構成される。
【００２５】
画像形成装置２００と紙折り装置１とは、それぞれシリアルケーブル２５０により接続している。
このように画像形成装置２００と紙折り装置１とのシリアル通信により、情報の相互のやりとりを実現している。本実施形態においては、画像形成装置２００から紙折り装置１に出力される情報として、例えば、用紙サイズ、紙折り方式、スタンプ有り無し、スタンプ位置、綴じ代、縦横紙折り補正値、紙折り実行有無などがあり、紙折り装置からの情報としては紙折り装置内でのジャム信号、エラー情報、折りカウント情報等がある。
【００２６】
次に、本実施形態において、紙折り装置１の手差し部１１により画像形成装置２００を通さず用紙を折るオフライン操作による動作を図２、図３、図５、図６を用いて説明する。
まず、紙折り装置１に構成された操作部２０にて用紙のサイズを決めた後、その用紙サイズでの可能な紙折りの種類等を設定する。
【００２７】
操作部２０では、図５に示すように、Ａ０縦（５０１）、Ａ１縦（５０２）、Ａ１横（５０３）、Ａ２縦（５０４）、Ａ２横（５０５）、Ａ３縦（５０６）、Ａ３横（５０７）、Ａ４縦（５０８）、Ａ４横（５０９）等の複数の用紙を扱うことが可能である。そして、Ａ０縦、Ａ１縦、Ａ１横、Ａ２縦、Ａ２横、Ａ３縦、Ａ３横には、それぞれ、基本折り（５３１）、袋折り（５３２）、ファイル折り（５３３）、クロス折り（５３４）等の様に数種類の折り方式の選択が可能となっている。これらの折り方式は、用紙の搬送方向に対して垂直にジャバラ状に折り込み、用紙サイズによっては、更に、ジャバラ状の折りと垂直な方向（クロス状）にも折る。この定形サイズの用紙の折り方式を「定形折りモード（５３０）」と称することとする。これとは別に、用紙をジャバラ状にのみ折り込む折り方式を「長尺折りモード（５４０）」と称することとする。この長尺折りモードは、用紙をジャバラ状に１４０ｍｍ幅（５４１）、１７０ｍｍ幅（５４２）、２１０ｍｍ幅（５４３）、２９７ｍｍ（５４４）幅等に折り込むだけであるため、対応可能な用紙サイズは、定形サイズ以外に、不定形サイズ（５１０）の用紙についても対応が可能である。また、Ａ４縦、Ａ４横は、折り種類を設定できない（５３５）構成である。
【００２８】
図６において、上記操作部２０にて用紙サイズ，折り種類を設定した後（Ｓ６００）、折る用紙Ｐの幅に図２及び図３のサイドフェンス１５を合わせ、手差し台１２に用紙をセットし、図１の矢印方向に挿入する。用紙は、センター基準で挿入されるため、いかなるサイズの用紙であっても用紙サイズセンサ１４のＳ４がＯＮとなる（Ｓ６０１／ＹＥＳ）。また、これをトリガに用紙幅サイズの判別が開始となる（Ｓ６０２）。
【００２９】
用紙サイズセンサ１４により用紙を検知し、手差し搬送ローラ対１３への用紙先端部の突き当て時間が一定時間を経過すると（６０３／ＹＥＳ）、搬送モータが駆動を開始し（Ｓ６０４）、同時に手差し搬送ローラに設置されている入口ローラクラッチがＯＮとなる（Ｓ６０５）。これにより、手差し搬送ローラ対１３が回転を始める。搬送ローラ対１３は、一定距離の駆動後（数十ミリメートル）用紙Ｐを搬送したところで停止する（Ｓ６０６／ＹＥＳ、Ｓ６０７、Ｓ６０８）。これより、用紙Ｐの先端部分は搬送ローラにくわえた状態で停止する。用紙先端が先端ローラにくわえられると、操作者は用紙から手を離しても紙折り装置から用紙が落下することはない。この状態で、更に一定時間が経過すると（Ｓ６０９／ＹＥＳ）、搬送モータが高速駆動を開始し（Ｓ６１０）、さらに入口ローラクラッチがＯＮして（Ｓ６１１）、搬送ローラ対１３は再起動し、用紙を紙折り装置内部へ搬送する。この時、用紙サイズセンサ１４のＳ４のＯＮ時間を計測することで（Ｓ６１２）、搬送方向の長さを計測し、用紙サイズを判別する（Ｓ６１３）。
【００３０】
搬送された用紙は、用紙端面を折る場合は端面折り部３により用紙先端の端面を折られる。このとき用紙を搬送しながら用紙端面を折る。端面折り部３により用紙先端の端面を折られた後、用紙はジャバラ折り部４により搬送方向にジャバラ状に折られ、搬送切換部５に送られる。搬送切換部５に送られたジャバラ状に折られた用紙は図１の矢印Ａ方向から見た図２で、スキュー補正を行い、パンチが有る場合はジャバラ状に折られた用紙を穿孔し、クロス折り部６に用紙を送る。クロス折り部６に送られたジャバラ状に折られた用紙はジャバラ折りとは直交する方向に再度ジャバラ状に折り、Ａ４サイズの大きさに折り込む。
【００３１】
Ａ４サイズに折られた用紙はトレイ９に排出した時に転写面が下になるように、折り種類によっては用紙を反転部７により反転し、さらに、トレイ９に排出した時に図面の向きが揃う様に折り種類で用紙が図面等向き同一になるように回転部８にて左右９０°回転し、トレイ９に排出する。
【００３２】
次に、本実施形態として用紙サイズ判別手段の構成について、図３、図７により説明する。
手差し部１１のサイドフェンス１５は用紙Ｐの幅に合わせ用紙を真っ直ぐ手差し搬送ローラ対１３に挿入するためのガイドで有る。従って、サイドフェンス１５は用紙幅方向に移動可能な構成になっている。また、手差し入り口付近には手差し搬送ローラ対１３を構成し、手差し搬送ローラ対１３の上流側近傍に、用紙サイズ判別手段として用紙サイズセンサ１４を構成する。この用紙サイズセンサ１４は、図３に示すように、用紙搬送方向とは垂直な方向に複数個、各用紙サイズ幅の端面内側にサイズ幅に応じてＳ０〜Ｓ４まで配置されている。
【００３３】
例えば、そのセンサは、８４１ｍｍ幅Ｓ０、５９４ｍｍ幅Ｓ１、４２０ｍｍ幅Ｓ２、２９７ｍｍ幅Ｓ３、２１０ｍｍ幅Ｓ４の各Ａ列定形サイズの用紙幅を認知できるように配置されている。
【００３４】
本実施形態では、例えば、図３のように用紙挿入にて、Ｓ０〜Ｓ４までの用紙サイズセンサ１４がＯＮであった場合（Ｓ６２０／ＹＥＳ）、用紙サイズセンサ１４にて、用紙サイズ幅を８４１ｍｍと判断する（Ｓ６２１）。同様に、Ｓ０がＯＦＦであり（Ｓ６２０／ＮＯ）、Ｓ１〜Ｓ４までの用紙サイズセンサ１４がＯＮであった場合（Ｓ６２２／ＹＥＳ）、用紙サイズ幅を５９４ｍｍと判断する（Ｓ６２３）。同様に、Ｓ０、Ｓ１がＯＦＦであり（Ｓ６２２／ＮＯ）、Ｓ２〜Ｓ４までの用紙サイズセンサ１４がＯＮであった場合（Ｓ６２４／ＹＥＳ）、用紙サイズ幅を４２０ｍｍと判断する（Ｓ６２５）。同様に、Ｓ０〜Ｓ２がＯＦＦであり（Ｓ６２４／ＮＯ）、Ｓ３までの用紙サイズセンサ１４がＯＮであった場合（Ｓ６２６／ＹＥＳ）、用紙サイズ幅を２９７ｍｍと判断する（Ｓ６２７）。同様に、Ｓ０〜Ｓ３がＯＦＦであり（Ｓ６２６／ＮＯ）、Ｓ４の用紙サイズセンサ１４がＯＮであった場合、用紙サイズ幅を２１０ｍｍと判断する（Ｓ６２８）。
【００３５】
次に、搬送方向の長さは、搬送モータが高速駆動し（図６のＳ６１０）、用紙ＣＬ（クラッチがＯＮして（図６のＳ６１１）からの用紙サイズ検知Ｓ４センサのＯＮ時間をＣＰＵのタイマにより計測する（図６のＳ６１２）。この計測した時間により、搬送方向の長さを決定する（図６のＳ６１３）。
【００３６】
例えば、用紙幅サイズが８４１ｍｍと判断し、搬送方向の長さが１１８９ｍｍであればＡ０縦、５９４ｍｍであればＡ１横とサイズを判断する。同様に、用紙幅サイズが５９４ｍｍと判断し、搬送方向の長さが８４１ｍｍであればＡ１縦、４２０ｍｍであればＡ２横とサイズを判断する。同様に、用紙幅サイズが４２０ｍｍと判断し、搬送方向の長さが５９４ｍｍであればＡ２縦、２９７ｍｍであればＡ３横とサイズを判断する。同様に、用紙幅サイズが２９７ｍｍと判断し、搬送方向の長さが４２０ｍｍであればＡ３縦、２１０ｍｍであればＡ４横とサイズを判断する。
【００３７】
本実施形態として、用紙サイズ設定ミスを行った紙折り動作について図６、図８により説明する。
図８において、オペレータが操作部にて用紙サイズ、折り種類を設定する（Ｓ６５０）。設定した後、用紙を紙折り装置に挿入する。挿入された用紙は、用紙サイズ検知により用紙幅サイズを判別する（Ｓ６５１）。その後、用紙は搬送モータ及び入口クラッチにより搬送される（図６のＳ６０３〜Ｓ６１１）。この時、用紙サイズ検知Ｓ４センサのＯＮ時間を計測し、搬送方向の用紙長さを算出し（Ｓ６５２）、用紙サイズを判別する（Ｓ６５３）。判別された用紙サイズが、設定した用紙サイズが一致しているか判断し（Ｓ６５４）、一致した場合（Ｓ６５４／ＹＥＳ）、処理を終了する。一致していない場合は（Ｓ６５４／ＮＯ）、次に定型サイズか不定形サイズかを判断する（Ｓ６５５）。定型サイズの場合（Ｓ６５５／ＹＥＳ）、予め設定した用紙サイズ毎の折り種類にて紙折り動作を行う（Ｓ６５６）。そして、紙折り終了後、操作部に紙折りを行った用紙サイズ、折り種類を操作部に表示する（Ｓ６５７）。判別した用紙サイズが定型サイズ以外であった場合（Ｓ６５５／ＮＯ）、ジャバラ折り動作のみを行い（Ｓ６５８）、ジャバラ折り部より下流側にて用紙を排出する。紙折り終了後、操作部に紙折りを行った用紙サイズ、折り種類を操作部に表示する（Ｓ６５７）。
【００３８】
また、用紙サイズ検知（図３のＳ４）により検出した副走査方向の長さの許容値を、操作部にて任意に設定可能である。例えば、副走査方向の長さの許容値を±２０mmに設定し、Ａ０縦サイズの場合、搬送方向の長さは１１８９ｍｍであり、用紙サイズ検知に検出した搬送方向の長さが１１６９ｍｍ〜１２０９ｍｍまで、Ａ０縦と認識する。
【００３９】
また、操作部に設定した用紙サイズと用紙サイズ検知で検出した用紙サイズが異なる場合、用紙サイズ検知にて検出した用紙サイズにてジャバラ折りを行うが、この時のジャバラ折り幅は、事前に操作部にて任意に設定することが出来る。
【００４０】
また、使用者が使用した用紙サイズ毎のジャバラ折り幅データは、メモリに記憶されており、記憶されたデータより、使用頻度の高い順にジャバラ折り幅を変更し、記憶されたデータを基に、ジャバラ折りを行う。
前記折り幅モードは、操作部にて任意に設定する事が可能である。
【００４１】
以上説明したように、本実施形態によれば、シート搬送方向に対して、垂直に複数個配置された挿入用紙の幅方向の長さ及び搬送方向の長さを検知する検知手段と操作部を備え、オペレータが操作部に設定した用紙サイズと前記検知手段による検知結果が異なり、検出結果が定型サイズの場合、定型折りを行うことにより、オペレータの入力ミスによる用紙ジャムを防止することができる。
【００４２】
また、本実施形態によれば、挿入用紙が定型サイズであり、搬送方向の長さの許容値を任意に設定することにより、用紙サイズのばらつきに対応した定型折りができる。
【００４３】
また、本実施形態によれば、挿入用紙の検出結果が定型サイズでない用紙サイズである場合、ジャバラ折りのみを行い、ジャバラ部より下流側にて用紙を排出することにより、定型サイズ以外の用紙サイズにも対応できる。
【００４４】
また、本実施形態によれば、ジャバラ折り幅は、事前に任意の１つを設定することにより、自ら使用頻度の高い折り幅を選択でき、操作性が向上できる。
【００４５】
また、本実施形態によれば、使用者が使用したジャバラ折り幅データを記憶し、記憶されたデータの中で最も頻度の高いジャバラ折り幅を自動認識することにより、装置を使用した事のない使用者が使用しても正確にジャバラ折りを行うことができる。
【００４６】
また、本実施形態によれば、任意にジャバラ折り幅モードを設定することを特徴とすることにより、使用者に応じたモード設定が可能であり、利便性が向上できる。
【００４７】
また、本実施形態によれば、挿入用紙に応じて紙折りされた紙折り種類又はジャバラ折り幅結果を、操作部へ表示することにより、操作性が向上できる。
【００４８】
以上、本発明の実施形態について説明したが、上記実施形態に限定されるものではなく、その要旨を逸脱しない範囲において種々の変形が可能である。
【産業上の利用可能性】
【００４９】
本発明は、画像形成装置と連結され、複写後の用紙を所定の形式で折り畳む紙折り装置全般に適用できる。
【図面の簡単な説明】
【００５０】
【図１】本発明の実施形態である画像形成システム（画像形成装置及び紙折り装置）に係る全体構成を模式的に示す側断面図である。
【図２】本発明の実施形態である紙折り装置の構成を示す背面図である。
【図３】本発明の実施形態である紙折り装置の手差し部を示す上面図である。
【図４】本発明の実施形態である画像形成システム（画像形成装置及び紙折り装置）に係る機能構成を示すブロック図である
【図５】本発明の実施形態である紙折り装置における用紙サイズとモードとの関係を示す図である。
【図６】本発明の実施形態である紙折り装置の動作の一例を示すフローチャートである。
【図７】本発明の実施形態である紙折り装置の動作の一例を示すフローチャートである。
【図８】本発明の実施形態である紙折り装置の動作の一例を示すフローチャートである。
【符号の説明】
【００５１】
１    紙折り装置
２    連結部
３    端面折り部
４    ジャバラ折り部
５    搬送切替部
６    クロス折り部
７    反転部
８    回転部
９    排紙トレイ
１１    手差し部
１２    手差し台
１３    手差し搬送ローラ対
１４    用紙サイズセンサ
１５    サイドフェンス
２０    操作部
３０    耳折り制御手段
４０    ジャバラ折り制御手段
５０    搬送切替制御手段
６０    クロス折り制御手段
８０    反転回転制御手段
１００    パンチ制御手段
１２０    操作部制御手段
１２１    操作部制御手段
１２２    読取制御手段
１２３    書込制御手段
１２４    定着制御手段
１２５    給紙制御手段
１２６    作像制御手段
１４０    用紙サイズ制御手段
２００    画像形成装置
２１０    定着装置
２２０    操作部
２３０    制御システム
２５０    シリアルケーブル
２６０    紙折り制御システム
２６１    ＣＰＵ
２６２    メモリ
２６３    入出力レポート
【図１】
2007302384.tif 000003
【図２】
2007302384.tif 000004
【図３】
2007302384.tif 000005
【図４】
2007302384.tif 000006
【図５】
2007302384.tif 000007
【図６】
2007302384.tif 000008
【図７】
2007302384.tif 000009
【図８】
2007302384.tif 000010